(57)【特許請求の範囲】
【請求項１】
着用者の頭部にヘルメットを保持するためのあご紐が連結具を介して帽体に取付けられ、当該あご紐には装着感を高めるためのカバーを有し、当該カバーが着脱自在である構造のヘルメットにおいて、
ヘルメットの着用時および着脱時におけるカバーの離脱やずれを防止するために、あご紐の一端を帽体に取付けるための連結具とカバーの一端とに亘って、当該カバーを着脱可能に取付けるための固定手段を備えたことを特徴とするヘルメット。
【発明の詳細な説明】
【０００１】
【発明の属する技術分野】
本発明は、オートバイ、四輪自動車等各種移動車両、モーターボート、自転車等の船舶又は移動機具に乗る際に頭部及び顔面を保護するために被るヘルメットに関する。
【０００２】
【従来の技術】
従来のあご紐のカバーを着脱可能に取付ける構造を備えたヘルメットに関する先行技術として、例えば、カバーを筒状としてあご紐に対して被せた構造、カバーに挿通片を設けてこの挿通片にあご紐を挿通した構造、カバーをあご紐に巻き付けた構造、カバーをあご紐に貼り付けた構造等が提案されている。（例えば、特許文献１参照。）
また、筒状のカバーの内側とあご紐に夫々面ファスナを取付けて、カバーをあご紐に被せた上で面ファスナ同士を係合させることによって、取付け状態においてカバーが固定状に取付けられる構造も提案されている。（例えば、特許文献２参照。）
【０００３】
【特許文献１】
実開平２−３４２９号（第２頁〜第３頁の第１図〜第１６図）
【特許文献２】
実公平６−３８０９０号（第１頁〜第３頁、第７Ａ図および第７Ｂ図）
【０００４】
【発明が解決しようとする課題】
ところで、前記した先行技術のうち、カバーの取付け状態において、カバーがあご紐に対して固定されない構造の場合では、カバーのずれや脱落が発生する可能性が有るものと思われる。
カバーの取付け状態において、カバーがあご紐に対して着脱可能に固定される構造の場合では、ずれや脱落は防止されるものの、この着脱可能な固定構造のうちカバーをあご紐に貼付けるものは、着脱を繰り返すうちに接着剤が劣化してあご紐に対して貼り付かなくなってしまうと思われる。
また、面ファスナの係合によって固定するものにおいても、着脱を繰り返すうちに面ファスナのループが切れたり、引っ掛け爪が伸びたりすることで係合不能になってしまうと思われる。
しかも、筒状のカバーはあご紐に適合状に被せられるため、あご紐に被せる動作おいては、動作途中で面ファスナが係合してカバーがあご紐に対して固定状態になりやすく、このようなカバーを面ファスナが係合しないように被せたり、また係合した面ファスナを外したりしながら被せることは極めて行い難く、面倒である。
また、カバーを取り外す動作においては、面ファスナの係合を外しながらあご紐に適合状に被せられたカバーを取り外すのは行い難いものである。
【０００５】
そこで本発明は、あご紐に対するカバーの固定機能の長期間の保持と、着脱容易性の向上を課題とし、この課題を解決するあご紐のカバーの取付け構造の提供を目的とする。
【０００６】
【課題を解決するための手段】
上記した目的を達成するために本発明は下記の技術的手段を採用した。
その技術的手段は、着用者の頭部にヘルメット１を保持するための左右のあご紐２，３が連結具４，５を介して帽体６に取付けられ、当該あご紐２，３には装着感を高めるためのカバー７，８を有し、当該カバー７，８が着脱自在である構造のヘルメット１において、ヘルメットの着用時および着脱時におけるカバー７，８の離脱やずれを防止するために、あご紐２，３の一端を帽体６に取付けるための連結具４，５とカバー７，８の一端とに亘って、当該カバー７，８を着脱可能に取付けるための固定手段９を備えたことを特徴とするヘルメット１にしたことである。（請求項１）
【０００７】
【発明の実施の形態】
本発明における固定手段９の構造については、例えば、図３ないし図５、６、７に示すように、カバー７，８と連結具４，５とに亘って備えられる固定手段９の一方を、連結具４，５に形成されている孔部９１，９２とし、他方を、カバー７，８の端部または端部の近くに設けられる、前記孔部９１，９２に嵌合する嵌合凸部９３，９４とした構造を含む。
また、例えば、図８ないし図１２に示すように、カバー７，８と連結具４，５とに亘って備えられる固定手段９の一方を、連結具４，５に取付けられる取付け部材９Ａとし、他方を、カバーの端部または端部近くに設けられる、前記取付け部材９Ａに嵌合する嵌合凸部９３や嵌合凹部９３Ｂとした構造も含む。
さらに、前記固定手段は、連結具とカバーの端部または端部近くとに亘って設けた面ファスナとする構造も含む（図示せず。）。
【０００８】
図３ないし図５，６，７に示す構造の固定手段９によれば、固定手段９の一方側をヘルメットにおける既設の連結具４，５に設けた孔部９１，９２を利用する構造であるので、カバー７，８の取付け構造の製作についてその部品点数の削減および製造工程の削減が実現し、製造の迅速性の向上、製造コストの低減に極めて効果的な固定手段である。
そして、図８ないし図９に示す構造の固定手段９によれば、連結具における孔部の有無にかかわらず、連結具４，５に取付け部材９Ａを取り付けることによって、連結具４，５とカバー７，８とに亘って固定手段９を構成することができる。
また、前記孔部が無い連結具である場合には、連結部に孔部を形成する手段も用いても良い。（図示せず。）
【０００９】
本発明のカバー７，８は、筒状、袋状、一枚物とする形状のもの等、いずれの形態のカバーを含む。
一枚物のカバーである場合には、あご紐が挿通する挿通片を設けたり、あご紐に巻付ける形態にしたりすることによってカバーとあご紐を一体化する。
カバーがあご紐に巻付ける形態である場合には、カバーの端部同士を連結することによって巻付け状態を保持するが、このときの保持構造は、面ファスナやホックによって達成できる。
【００１０】
ちなみに、筒状、袋状、一枚物等のカバーの使い分けとして、左右一対とするその一方に締付環を備えた接続具を有するあご紐においては、例えば、締付環側のあご紐には巻付ける形態のカバーを、他方のあご紐には筒状や袋状のカバーを用いることが、着脱作業の容易性を勘案すれば極めて好適である。
また、左右のあご紐の一方に挿し込み部を他方に保持部を備えてなるワンタッチホルダタイプの接続具を有するあご紐においては、両方ともに巻付けるタイプのカバーを用いることが、着脱作業の容易性を勘案すれば極めて好適である。
また、締付環側のあご紐や接続具を有するあご紐に用いるカバーは、カバーの全部または一部に伸縮する素材を用いてなる筒状のものが使用できる。
【００１１】
本発明によれば、あご紐に被せられるカバーは、その形態に拘わらずカバーの端部と連結具とに亘って備えた固定手段によってあご紐に固定され、固定手段の解除によってカバーを取り外すことができる。
そして、カバーとあご紐本体とには、面ファスナのような両者を固定する構成がないため、着脱時において、カバーをあご紐本体に被せる動作やカバーを取り外す動作が極めてスムースである。
したがって、カバーの着脱が迅速でしかも簡単でありながら、カバーをあご紐に対して確実に固定してずれや脱落を防止したカバーの取付け構造を備えたヘルメットを提供することができる。
【００１２】
【実施例】
以下、本発明の実施例を図面に基づいて説明する。
本実施例では、ジェット型ヘルメット（以下、「ヘルメット」と略称する）を例示するが、本発明はこれに限定するものではなくフルフェース型ヘルメットも包含する。
本実施例のヘルメット１は、繊維強化樹脂材で所定の形状に形成された帽体６の内側に、発泡スチロール、もしくは、これと同等の衝撃吸収性能を有する素材を用いて構成された衝撃吸収ライナー６１と、当該衝撃吸収ライナー６１の内側に配設されるウレタン材等でなる頭部内装部材６２とおよび頬パッド６３Ｒ，６３Ｌと、帽体６の両側部に連結具４，５を介して固定された左右一対の顎ひも２，３で構成してある。
【００１３】
本実施例のあご紐２，３は、あご紐３に備えた締付環３１で、あご紐２，３相互を連結締付することによって、ヘルメット１を着用者に保持する構造のものである。
あご紐２，３には夫々カバー７，８が被せられており、当該カバー７，８は前記連結具４，５とに亘って設けられた固定手段９によって、あご紐２，３に着脱可能に被せられている。
【００１４】
以下、カバー７，８および固定手段９について説明する。
本実施例では、カバー７はあご紐２に被せられるものであり、カバー８はあご紐３に被せられるものである。（図３，図４参照）
カバー７は、前記頬パッドの表面布地と同様の柔軟な布地７１（以下、「表地７１」と略称する。）と合成皮革７２（以下、「裏地７２」と略称する。）を用いて、図示するように略筒状に縫製され、あご紐２を挿通させるようにしている
【００１５】
カバー８は、表面にループ状の起毛を有した柔軟な布地８１（以下、「表地８１」と略称する。）と合成皮革８２（以下、「裏地８２」と略称する。）を用いて、図示するように長手側片方のみを縫製して他方を開放して、この開放側からあご紐３を挿入して挟むようにしている。
また、カバー８は、裏地８２の内側に雄側面ファスナ８３が縫着されており、この雄側面ファスナ８３を表地８１の内側に係合させることで、あご紐３を挟んだ状態を保持するようにしている。
ここでは表地８１自体の起毛を利用して雄側面ファスナ８３と係合させているが、表地８１上に雄側面ファスナ８３に対応する箇所に雌側面ファスナを配してもよい。
【００１６】
固定手段９は、連結具４，５に設けた孔部９１，９２に、カバー７，８の端部に設けた嵌合凸部９３，９４を嵌合することで固定する構造である。
なお、夫々二つの孔部９１，９２および嵌合凸部９３，９４は同一構成であるので、以下では、孔部９１とこれに嵌合する嵌合凸部９３を説明することにより、孔部９２とこれに嵌合する嵌合凸部９４の説明は省略する。
【００１７】
嵌合凸部９３は、カバー７における表地７１の端部に固着された支持板Ｒに一体的に備えられている。
ここで支持板Ｒを説明すると、当該支持板Ｒは、合成樹脂材を用いて、先端の平面形状が連結具４の平面形状と略同一形状とする略凸型状に形成され、その先端縁に沿って連結具４の先端縁を覆うように突起Ｒ１が一体的に備えられている。
また、支持板Ｒには、当該支持板Ｒを連結具４に被せたときに、帽体に連結具４を止めるためのリベット６４をよける孔部Ｒ２が形成されている。
このような支持板Ｒにおける孔部Ｒ２の下方に嵌合凸部９３が位置している。
なお、嵌合凸部９４は、カバー８における表地８１の端部に固着された支持板Ｌに一体的に備えられている。
支持板Ｌの具体的構造は前記支持板Ｒと同構造であり、具体的には、支持板Ｌにおける突起Ｌ１は突起Ｒ１と、支持板Ｌにおける孔部Ｌ２は孔部Ｒ２と同構造である。
【００１８】
嵌合凸部９３は、図面上上下２つの弾性を有する突起Ａ，Ｂからなる。
突起Ａ，Ｂの先端には、傾斜面Ａ１，Ｂ１と、抜止面Ａ２，Ｂ２が備えられている。
傾斜面Ａ１，Ｂ１は、孔部９１への挿し込み状態においてその孔部９１の縁に接触して突起Ａ，Ｂを近接方向に変形させる形態のものである。
抜止面Ａ２，Ｂ２は、傾斜面Ａ１，Ｂ１の全部が孔部９１を貫通すると突起Ａ，Ｂが弾性によって挿し込み前の状態に復帰すると同時に、孔部９１周りに引っ掛かるように位置することによって抜止が行われる形態のものである。
【００１９】
次に、本実施例のカバー７，８の着脱について説明する。
カバー７の取付けは、カバー７にあご紐２を挿通させてカバー７をあご紐２に被せた後、支持板Ｒと連結具４を重ね合わせるとともに、嵌合凸部９３を孔部９１に貫通挿し込みすることによってカバー７が取付けられる。
取り外すときには、支持板Ｒを挿入方向とは逆に引っ張ることにより、突起Ａ，Ｂを近接させて嵌合凸部９３を孔部９１から抜き取るとともに、カバー７をあご紐２から抜き取ることで取外される。
カバー８の取付けは、カバー８をあご紐３に巻き付けて被せること以外は、前記カバー７の取り付けと同様であり、取り外しもカバー８を取り外し方法が異なる以外は、前記カバー７の取り付けと同様である。
【００２０】
本実施例におけるヘルメットによれば、カバー７，８の取付け構造について、カバー７，８を着脱動作においてこれを阻害するものはないので、スムースに被せることができるとともに、スムースに外すことができる。
しかも、本実施例の固定手段９も、従来のカバーとあご紐に亘って面ファスナを設けた構造に比べて極めて簡単で容易に係脱できる上に、面ファスナと比較して耐久性も大幅に向上する。
そして、本実施例の前記支持板Ｒでは、嵌合凸部９３が孔部９１に嵌合した状態において、突起Ｒ１を連結具４の先端縁に引っ掛けて、支持板Ｒに作用する応力を嵌合凹部９３と突起Ｒ１とで分散するので、応力集中による嵌合凹部９３の破壊を防止することができる。
【００２１】
図５ないし図６は、固定手段９の第２実施例である。
なお、本実施例については、一方側のみを例示して説明し、以下説明する実施例についても同様とする。
本実施例の固定手段９は、連結部４に設けた孔部９１と、支持板Ｒに設けた嵌合凸部９３とからなることについて前記の実施例と同様であるが、本実施例の嵌合凸部９３の構成が連結具４に設けた孔部９１の外形と適合する外形とする掛止め板９５と、この掛止め板９５を支持する支持杆９６とからなるものである。
掛止め板９５は、支持杆９６によって支持板Ｒから離反した位置にあり、掛止め板９５の裏面と支持板Ｒの表面との間隔を、連結具４の厚みよりもわずかに広くしている。
また、掛止め板９５は、長手方向が支持板Ｒの上下方向に対して傾斜状に配している。
つまり、支持板Ｒを連結具４に対してずらして掛止め板９５と孔部９１を合致させ、その状態で嵌合凸部９３を孔部９１に押し込み、支持板Ｒを回して連結具４と合致させると、掛止め板９５が孔部９１の長手方向に対して傾斜して孔部９１周りに引っ掛かることによって、支持板Ｒが連結具４に対して取付けられる。取外し方法は、前記の逆の動作を行うことで支持板Ｒを連結具から取り外すことができる。
本実施例の固定手段９によれば、支持板Ｒの取付け状態では、掛止め板９５が孔部９１の長手方向に対して傾斜して孔部９１周りに引っ掛かっているので、抜止効果としては高いものである。
【００２２】
図８ないし図１０は、固定手段９の第３及び第４実施例である。
本実施例の固定手段９は、連結具４に、支持板Ｒにおける嵌合凸部９３が嵌合する嵌合孔９１Ａを備えた取付け部材９Ａを取り付けし、この取付け部材９Ａの嵌合孔９１Ａに嵌合凸部９３を嵌合させることによってカバー７を連結具４に取り付ける形態のものである。
【００２３】
図８および図９に示す第３実施例の固定手段９は、取付け部材９Ａが、連結具４の上方に被せて引っ掛ける環状部９２Ａと、嵌合凸部９３が嵌合するスリット状の嵌合孔９１Ａが開孔された平面部９３Ａと、嵌合凸部９３を隠すカバー部９４Ａと、前記帽体（図１および図２参照）に対してリベット６４で連結具４と重ねて止めるための台座部９５Ａとからなる。
本実施例の嵌合凸部９３は、支持板Ｒの先端部における左右両側縁に、左右の端部を頂点Ｂ，Ｂとする略三角形状をなすように突出形成してなるものであり、左右の端部間の幅が嵌合孔９１Ａの長さよりも広いものとし、その表面の左右端には左右方向に弾性力を発生させるための貫通孔９３１，９３２を形成してある。
本実施例の支持板Ｒは、嵌合凸部９３側（先端側）を下向きとし、後端側をカバー７に固着してある。
つまり、支持板Ｒの嵌合凸部９３を平面部９３Ａの上方に位置させて嵌合孔９１Ａに挿し込むと、嵌合凸部９３の前側の傾斜面９３５，９３６が嵌合孔９１Ａの左右縁に接触しながら、嵌合凸部９３が縮小して嵌合孔９１Ａに貫通する。
貫通終了後には、嵌合凸部９３がその弾性力によって元の形状に復帰し、その左右端部の頂点Ｂ，Ｂが嵌合孔９１Ａの左右縁よりも外側に位置することで、支持板Ｒが抜止された状態でカバー７が連結具４に取付けられる。
取外すときには、支持板Ｒの先端を上方に押し上げることによって、嵌合凸部９３の後側の傾斜面９３３，９３４が嵌合孔９１Ａの左右縁に接触し、嵌合凸部９３が縮小して嵌合孔９１Ａから引き抜かれることによって取り外される。
【００２４】
図１０に示す第４実施例の固定手段９は、取付け部材９Ａが、連結具４の上方に被せて引っ掛ける環状部９２Ａと、平面部９３Ａと、嵌合凸部９３が嵌合される円形の嵌合孔９１Ａを開孔したカバー部９４Ａとからなる。
本実施例の取付け部材９Ａは、連結具４に被せた状態において環状部９２Ａがリベット６４の下側に位置することによって、連結具４からの離脱が防止されている。
本実施例の嵌合凸部９３は、前記嵌合孔９１Ａよりも若干小径とする円盤状をなし、支持杆９３７によって支持板Ｒから離反した位置にあって、嵌合凸部９３の裏面と支持板Ｒの表面との間隔を、カバー部９４Ａの厚みよりもわずかに広くしている。
嵌合孔９１Ａの縁には放射方向に切欠き９６Ａが一本形成されており、嵌合凸部９３を嵌合孔９１Ａの円形部を通してから、下方向（ベルト側方向）に移動させることによって、支持杆９３７が切欠き９６Ａに嵌合して、支持板Ｒの取付け部材９Ａからの離脱が防止される。
取り外すときには、支持板Ｒを上方に移動して切欠き９６Ａから支持杆９３７を脱出させると共に、嵌合凸部９３を嵌合孔９１Ａと同位置にすると引き抜き可能となって支持板Ｒは取外される。
【００２５】
図１１および図１２は、固定手段９の第５および第６実施例を示している。
本実施例の固定手段９は、連結具４に嵌合凸部９３を設けた取付け部材９Ａを固定し、支持板Ｒに嵌合凸部９３が嵌合する嵌合凹部９３Ｂを設けてなるものである。
図１１に示す第５実施例の固定手段９は、取付け部材９Ａが、嵌合凸部９３を帽体６に対してリベット６４で連結具４と重ねて止めるための固定板９６Ａに突設してなり、この固定板９６Ａを連結具４に重ねた状態で嵌合凸部９３を連結具４の孔部９１に貫通しリベット６４で共締めすることで連結具に固定される。
嵌合凸部９３と嵌合凹部９３Ｂはホック状に嵌合するようにしてあり、嵌合凹部９３Ｂを嵌合凸部９３に押し込むことで取付けられ、引き抜くことで取り外される。
図１２に示す第６実施例の固定手段９は、取付け部材９Ａが、嵌合凸部９３を、連結具４に対して接着により固定される固定板９７Ａに突設してなり、この固定板９７Ａを連結具４に接着固定された状態で嵌合凸部９３が連結具４の孔部９１に貫通される。
なお、嵌合凸部９３と嵌合凹部９３Ｂの形態、嵌合取り付け形態、着脱方法については図１１に示すものと同様である。
【００２６】
図１３および図１４は、カバー７，８の第２および第３実施例である。
図１３に示す第２実施例のカバー７は、略筒状に形成され、裏地７２のやや上方に開口部７２Ａが形成されたものである。
この開口部７２Ａは、あご紐２が、カバー７への挿通途中で開口部７２Ａに位置したとき、当該開口部７２から露出するあご紐２を指Ｃでしごくように押しながらカバー７に挿通させるようにしたものである。
また、図１４に示す第３実施例のカバー８は、略筒状に形成され、裏地８２の構成が、長手方向中央部に伸縮性を有する布地８２Ａを介して左右に合成皮革製の裏地８２Ｌ，８２Ｒを縫着してなるものであり、あご紐３に備えた締付環３１を挿通させるときに前記布地８２Ａが左右に伸びることによって、締付環３１の挿通に必要なスペースを確保するようにしたものである。
【００２７】
なお、例示したカバー８は、締付環３１を備えたあご紐３に被せるために好適な構成としたものであるが、これに限るものではなく、前記したカバー７のようなものでも、表地および裏地の伸びによっても締付環３１の挿通も可能である。
【図面の簡単な説明】
【図１】本発明のヘルメットの一例を示す。
【図２】図１の（２）−（２）線拡大断面図。
【図３】あご紐とカバーの拡大斜視図。
【図４】あご紐とカバーの拡大斜視図。
【図５】固定手段の第２実施例を示す。
【図６】嵌合状態を示す。
【図７】図６の（７）−（７）線断面図。
【図８】固定手段の第３実施例を示す分解図。（１）
【図９】固定手段の第３実施例を示す分解図。（２）
【図１０】固定手段の第４実施例を示す。
【図１１】固定手段の第５実施例を示す。
【図１２】固定手段の第６実施例を示す。
【図１３】カバーの第２実施例を示す。
【図１４】カバーの第３実施例を示す。
【符号の説明】
１：ヘルメット
２：あご紐
３：あご紐
４：連結具
５：連結具
６：帽体
７：カバー
８：カバー
９：固定手段
【図１】
0003602117.tif 000002
【図２】
0003602117.tif 000003
【図３】
0003602117.tif 000004
【図４】
0003602117.tif 000005
【図５】
0003602117.tif 000006
【図６】
0003602117.tif 000007
【図７】
0003602117.tif 000008
【図８】
0003602117.tif 000009
【図９】
0003602117.tif 000010
【図１０】
0003602117.tif 000011
【図１１】
0003602117.tif 000012
【図１２】
0003602117.tif 000013
【図１３】
0003602117.tif 000014
【図１４】
0003602117.tif 000015